(57)【特許請求の範囲】
【請求項１】
ガス流量の検出を行うガス流量検出部と、外部と通信する通信部と、ガスを遮断するガス遮断弁と、前記ガス流量検出部で検出したガス流量を積算して指針値として保持するガス計量部と、現在日時を計測するタイマー部と、検針日時を保持する検針日時保持部と、前記ガス遮断弁の開栓禁止状態を保持する開栓禁止状態保持部と、各部を制御する制御部とを有し、前記制御部では前記タイマー部の現在日時と前記検針日時保持部の検針日時を比較し一致した時に遮断検針命令を発生する検針日時比較処理と、前記遮断検針命令により前記ガス遮断弁を閉栓する遮断弁閉栓処理と、前記遮断弁閉栓処理後に前記開栓禁止状態保持部の前記開栓禁止状態に開栓禁止をセットする遮断弁開栓禁止処理と、前記開栓禁止処理後に前記ガス計量部で保持している前記指針値を前記通信部を用いて送信する指針値送信処理とを有するガス計量遮断装置。
【請求項２】
ガス流量の検出を行うガス流量検出部と、外部と通信する通信部と、ガスを遮断するガス遮断弁と、前記ガス流量検出部で検出したガス流量を積算して指針値として保持するガス計量部と、現在日時を計測するタイマー部と、検針日時を保持する検針日時保持部と、遮断日時を保持する遮断日時保持部と、前記ガス遮断弁の開栓禁止状態を保持する開栓禁止状態保持部と、各部を制御する制御部とを有し、前記制御部では前記タイマー部の現在日時と前記検針日時保持部の検針日時を比較し一致した時に検針命令を発生する検針日時比較処理と、前記検針命令により前記ガス計量部で保持している前記指針値を前記通信部を用いて送信する指針値送信処理と、前記検針命令発生後に前記ガス流量検出部を監視しガス流量があった後にガス流量がなくなったことを検出した時に再度検針命令を発生するガス使用時再検針処理と、前記タイマー部の現在日時と前記遮断日時保持部の遮断日時を比較し一致した時に遮断命令を発生する遮断日時比較処理と、前記遮断命令により前記ガス遮断弁を閉栓する遮断弁閉栓処理と、前記遮断弁閉栓処理後に前記開栓禁止状態保持部の前記開栓禁止状態に開栓禁止をセットする遮断弁開栓禁止処理とを有するガス計量遮断装置。
【請求項３】
ガス流量の検出を行うガス流量検出部と、外部と通信する通信部と、ガスを遮断するガス遮断弁と、前記ガス流量検出部で検出したガス流量を積算して指針値として保持するガス計量部と、現在日時を計測するタイマー部と、検針日時を保持する検針日時保持部と、遮断日時を保持する遮断日時保持部と、前記ガス遮断弁の開栓禁止状態を保持する開栓禁止状態保持部と、各部を制御する制御部とを有し、前記制御部では前記タイマー部の現在日時と前記検針日時保持部の検針日時を比較し一致した時に検針命令を発生する検針日時比較処理と、前記検針命令により前記ガス計量部で保持している前記指針値を前記通信部を用いて送信する指針値送信処理と、前記検針命令発生後に前記ガス流量検出部を監視しガス流量があった時にガス流量有り情報を発生するガス流量監視処理と、前記タイマー部の現在日時と前記遮断日時保持部の遮断日時を比較し一致した時に遮断命令を発生する遮断日時比較処理と、前記遮断命令により前記ガス遮断弁を閉栓する遮断弁閉栓処理と、前記遮断弁閉栓処理後に前記開栓禁止状態保持部の前記開栓禁止状態に開栓禁止をセットする遮断弁開栓禁止処理と、前記遮断弁閉栓禁止処理後に前記ガス流量有り情報があれば再度検針命令を発生するガス使用時再検針処理とを有するガス計量遮断装置。
【請求項４】
ガス流量の検出を行うガス流量検出部と、外部と通信する通信部と、ガスを遮断するガス遮断弁と、前記ガス流量検出部で検出したガス流量を積算して指針値として保持するガス計量部と、現在日時を計測するタイマー部と、検針日時を保持する検針日時保持部と、遮断日時を保持する遮断日時保持部と、前記ガス遮断弁の開栓禁止状態を保持する開栓禁止状態保持部と、各部を制御する制御部とを有し、前記制御部では前記タイマー部の現在日時と前記検針日時保持部の検針日時を比較し一致した時に検針命令を発生する検針日時比較処理と、前記検針命令により前記ガス計量部で保持している前記指針値を前記通信部を用いて送信する指針値送信処理と、前記指針値送信処理後に前記指針値を送信指針値として保存する送信指針値保存処理と、前記タイマー部の現在日時と前記遮断日時保持部の遮断日時を比較し一致した時に遮断命令を発生する遮断日時比較処理と、前記遮断命令により前記ガス遮断弁を閉栓する遮断弁閉栓処理と、前記遮断弁閉栓処理後に前記開栓禁止状態保持部の前記開栓禁止状態に開栓禁止をセットする遮断弁開栓禁止処理と、前記遮断弁開栓禁止処理後に前記送信指針値と前記ガス計量部に保持されている指針値を比較し差異があれば再度検針命令を発生するガス使用時再検針処理とを有するガス計量遮断装置。
【請求項５】
ガス流量の検出を行うガス流量検出部と、外部と通信する通信部と、ガスを遮断するガス遮断弁と、前記ガス流量検出部で検出したガス流量を積算して指針値として保持するガス計量部と、現在日時を計測するタイマー部と、検針日時を保持する検針日時保持部と、遮断日時を保持する遮断日時保持部と、検針命令後に使用できる追加ガス量を保持する追加ガス量保持部と、前記ガス遮断弁の開栓禁止状態を保持する開栓禁止状態保持部と、各部を制御する制御部とを有し、前記制御部では前記タイマー部の現在日時と前記検針日時保持部の検針日時を比較し一致した時に検針命令を発生する検針日時比較処理と、前記検針命令により前記ガス計量部で保持している前記指針値を前記通信部を用いて送信する指針値送信処理と、前記指針値を送信指針値として保存する送信指針値保存処理と、前記検針命令発生後に前記送信指針値と前記ガス計量部の指針値の差が前記追加ガス量保持部に保持されている前記追加ガス量に到達した時に遮断命令を発生する追加ガス量判定処理と、前記タイマー部の現在日時と前記遮断日時保持部の遮断日時を比較し一致した時に遮断命令を発生する遮断日時比較処理と、前記遮断命令により前記ガス遮断弁を閉栓する遮断弁閉栓処理と、前記遮断弁閉栓処理後に前記開栓禁止状態保持部の前記開栓禁止状態に開栓禁止をセットする遮断弁開栓禁止処理とを有するガス計量遮断装置。
【発明の詳細な説明】
【０００１】
【発明の属する技術分野】
本発明は、ガスの検針を行うガス計量遮断装置に関するものである。
【０００２】
【従来の技術】
従来のこの種のガス計量遮断装置を、図１４の機能ブロック図を用いて説明する。なお、その構成については図４を参照するものとして説明する。図においてガス流量検出部１が検出したガス流量をガス計量部２が積算してガス使用量を指針値として保持し、制御部３が検針日時保持部４が保持している検針日時とタイマー部５が計測している現在日時の比較を行い、一致した時に指針値を通信部６を介して集中管理センター７などの外部へ送信し、遮断日時保持部８が保持している遮断日時とタイマー部５が計測している現在日時の比較を行い、一致した時にガス遮断弁９を閉栓し、開栓禁止状態保持部１０の前記開栓禁止状態に開栓禁止をセットすることにより開栓入力部１１あるいは通信部６を介して集中管理センター７などの外部から入るガス遮断弁８の開栓命令を実行しないようにしていた。
【０００３】
【発明が解決しようとする課題】
しかしながら、従来のガス計量遮断装置では、ガスの利用者が引越しなどのために契約を解除する際に、通信部６を通して契約解除日時を検針日時保持部４の検針日時と遮断日時保持部８の遮断日時の両方に重複して設定しなければならないため、集中管理センター９からガス計量遮断装置への設定のための通信時間が長くなるという第一の課題を有していた。
【０００４】
また、検針日時保持部４の検針日時を遮断日時保持部８の遮断日時より前の日時に設定し電話回線が使用可能な内に通信部６を通して集中管理センター７に指針値を送信して、利用者が引越しをしてガスを使用する可能性がなくなった後にガス遮断弁９を閉栓しガスを遮断するようにしていた場合、指針値送信からガス遮断弁９の閉栓までにガスを無制限に使用できるため、指針値送信後の追加のガス使用量の請求ができないという第二の課題を有していた。
【０００５】
また、遮断日時保持部８の遮断日時を検針日時保持部４の検針日時より前の日時に設定し、ガス遮断弁９の閉栓によりガスが利用できないようにして指針値が変化しないようにしてから指針値を通信部６を通して集中管理センター９へ送信しようとした場合、引越しに伴いガス計量遮断装置と集中管理センター９を結ぶ電話回線が不通になれば指針値を送信できなくなるという第三の課題を有していた。
【０００６】
また、遮断日時保持部８の遮断日時を検針日時保持部４の検針日時より前の日時に設定してガス遮断弁９の閉栓後に利用者が緊急でガスを使用したいという場合、引越しに伴いガス計量遮断装置と集中管理センター９を結ぶ電話回線が不通になっていれば、集中管理センター９からの遠隔操作によるガス遮断弁９の開栓が行えないため、作業員を派遣してガス遮断弁９を開栓しなければならなくなるという第四の課題を有していた。
【０００７】
【課題を解決するための手段】
本発明は上記の第一の課題を解決するために、ガス計量部がガス流量検出部で検出したガス流量を積算して指針値を保持し、制御部がタイマー部で計測している現在日時と検針日時保持部で保持している検針日時を比較し一致した時に遮断検針命令を発生し、遮断検針命令によりガス遮断弁を閉栓し、ガス遮断弁の開栓を禁止し、ガス計量部で保持している指針値を通信部を用いて送信するものである。
【０００８】
上記発明によれば、検針日時を一つだけ設定すれば契約解除に伴うガス遮断弁の閉栓と指針値の送信を行うことができ、集中管理センターからガス計量遮断装置への検針日時の通信による設定時間を短くできる。
【０００９】
【発明の実施の形態】
本発明は、ガス流量の検出を行うガス流量検出部と、外部と通信する通信部と、ガスを遮断するガス遮断弁と、ガス流量検出部で検出したガス流量を積算して指針値として保持するガス計量部と、現在日時を計測するタイマー部と、検針日時を保持する検針日時保持部と、ガス遮断弁の開栓禁止状態を保持する開栓禁止状態保持部と、各部を制御する制御部とを有し、制御部ではタイマー部の現在日時と検針日時保持部の検針日時を比較し一致した時に遮断検針命令を発生する検針日時比較処理と、遮断検針命令によりガス遮断弁を閉栓する遮断弁閉栓処理と、遮断弁閉栓処理後に開栓禁止状態保持部の開栓禁止状態に開栓禁止をセットする遮断弁開栓禁止処理と、遮断弁開栓禁止処理後にガス計量部で保持している指針値を通信部を用いて送信する指針値送信処理とを有するものである。
【００１０】
そして、検針日時保持部に保持した検針日時だけでガス遮断弁の閉栓と指針値の送信を行うため、集中管理センターからガス計量遮断装置の検針日時保持部にに設定する検針日時だけを送信すればよいため設定時間を短くすることができる。
【００１１】
また、ガス流量の検出を行うガス流量検出部と、外部と通信する通信部と、ガスを遮断するガス遮断弁と、ガス流量検出部で検出したガス流量を積算して指針値として保持するガス計量部と、現在日時を計測するタイマー部と、検針日時を保持する検針日時保持部と、遮断日時を保持する遮断日時保持部と、ガス遮断弁の開栓禁止状態を保持する開栓禁止状態保持部と、各部を制御する制御部とを有し、制御部ではタイマー部の現在日時と検針日時保持部の検針日時を比較し一致した時に検針命令を発生する検針日時比較処理と、検針命令によりガス計量部で保持している指針値を通信部を用いて送信する指針値送信処理と、検針命令発生後にガス流量検出部を監視しガス流量が有った後にガス流量がなくなったことを検出した時に再度検針命令を発生するガス使用時再検針処理と、タイマー部の現在日時と遮断日時保持部の遮断日時を比較し一致した時に遮断命令を発生する遮断日時比較処理と、遮断命令によりガス遮断弁を閉栓する遮断弁閉栓処理と、遮断弁閉栓処理後に開栓禁止状態保持部の開栓禁止状態に開栓禁止をセットする遮断弁開栓禁止処理とを有するものである。
【００１２】
そして、指針値を集中管理センターに送信した後にガスが使用されても、都度集中管理センターにガスの使用終了後の指針値を送信でき、追加の請求を行うことができる。
【００１３】
また、ガス流量の検出を行うガス流量検出部と、外部と通信する通信部と、ガスを遮断するガス遮断弁と、ガス流量検出部で検出したガス流量を積算して指針値として保持するガス計量部と、現在日時を計測するタイマー部と、検針日時を保持する検針日時保持部と、遮断日時を保持する遮断日時保持部と、ガス遮断弁の開栓禁止状態を保持する開栓禁止状態保持部と、各部を制御する制御部とを有し、制御部ではタイマー部の現在日時と検針日時保持部の検針日時を比較し一致した時に検針命令を発生する検針日時比較処理と、検針命令によりガス計量部で保持している指針値を通信部を用いて送信する指針値送信処理と、検針命令発生後にガス流量検出部を監視しガス流量が有った時にガス流量有り情報を発生するガス流量監視処理と、タイマー部の現在日時と遮断日時保持部の遮断日時を比較し一致した時に遮断命令を発生する遮断日時比較処理と、遮断命令によりガス遮断弁を閉栓する遮断弁閉栓処理と、遮断弁閉栓処理後に開栓禁止状態保持部の開栓禁止状態に開栓禁止をセットする遮断弁開栓禁止処理と、遮断弁開栓禁止処理後にガス流量有り情報が有れば再度検針命令を発生するガス使用時再検針処理とを有するものである。
【００１４】
そして、指針値を集中管理センターに送信した後にガスが使用されても、ガス遮断弁閉栓時に集中管理センターにガスの使用終了後の指針値を送信でき、追加の請求を行うことができる。
【００１５】
また、ガス流量の検出を行うガス流量検出部と、外部と通信する通信部と、ガスを遮断するガス遮断弁と、ガス流量検出部で検出したガス流量を積算して指針値として保持するガス計量部と、現在日時を計測するタイマー部と、検針日時を保持する検針日時保持部と、遮断日時を保持する遮断日時保持部と、ガス遮断弁の開栓禁止状態を保持する開栓禁止状態保持部と、各部を制御する制御部とを有し、制御部ではタイマー部の現在日時と検針日時保持部の検針日時を比較し一致した時に検針命令を発生する検針日時比較処理と、検針命令によりガス計量部で保持している指針値を通信部を用いて送信する指針値送信処理と、指針値送信処理後に送信した指針値を送信指針値として保存する送信指針値保存処理と、タイマー部の現在日時と遮断日時保持部の遮断日時を比較し一致した時に遮断命令を発生する遮断日時比較処理と、遮断命令によりガス遮断弁を閉栓する遮断弁閉栓処理と、遮断弁閉栓処理後に開栓禁止状態保持部の開栓禁止状態に開栓禁止をセットする遮断弁開栓禁止処理と、遮断弁開栓禁止処理後に送信指針値とガス計量部に保持されている指針値を比較し差異があれば再度検針命令を発生するガス使用時再検針処理とを有するものである。
【００１６】
そして、指針値を集中管理センターに送信した後にガスが使用されても、ガス遮断弁閉栓時に集中管理センターにガスの使用終了後の指針値を送信でき、追加の請求を行うことができる。
【００１７】
また、ガス流量の検出を行うガス流量検出部と、外部と通信する通信部と、ガスを遮断するガス遮断弁と、ガス流量検出部で検出したガス流量を積算して指針値として保持するガス計量部と、現在日時を計測するタイマー部と、検針日時を保持する検針日時保持部と、遮断日時を保持する遮断日時保持部と、検針命令後に使用できる追加ガス量を保持する追加ガス量保持部と、ガス遮断弁の開栓禁止状態を保持する開栓禁止状態保持部と、各部を制御する制御部とを有し、制御部ではタイマー部の現在日時と検針日時保持部の検針日時を比較し一致した時に検針命令を発生する検針日時比較処理と、検針命令によりガス計量部で保持している指針値を通信部を用いて送信する指針値送信処理と、指針値送信処理後に指針値を送信指針値として保存する送信指針値保存処理と、検針命令発生後に送信指針値とガス計量部の指針値の差が追加ガス量保持部に保持されている追加ガス量に到達した時に遮断命令を発生する追加ガス量判定処理と、タイマー部の現在日時と遮断日時保持部の遮断日時を比較し一致した時に遮断命令を発生する遮断日時比較処理と、遮断命令によりガス遮断弁を閉栓する遮断弁閉栓処理と、遮断弁閉栓処理後に開栓禁止状態保持部の開栓禁止状態に開栓禁止をセットする遮断弁開栓禁止処理とを有するものである。
【００１８】
そして、指針値を集中管理センターに送信した後に電話回線が不通となっても、作業員を派遣せずに、また追加請求を行うことなく一定量のガスを使用することができる。
【００１９】
【実施例】
以下、本発明の実施例について図面を用いて説明する。
【００２０】
（実施例１）
図１は本発明の実施例１のガス計量遮断装置の概観図である。図２は本発明の実施例１のガス計量遮断装置の機能ブロック図である。図３は本発明の実施例１のガス計量遮断装置の動作を示すフロー図である。
【００２１】
図１において、１２はガスの使用量の計測やガスの使用状態を監視し異常時にはガスを遮断するガス計量遮断装置であり、ガスの利用者である各家庭に設置される。７は各ガス計量遮断装置１２のガスの異常を監視およびガス使用量の検針を行う集中監視センターである。６は通信部であり、電話線や無線などを介してガス計量遮断装置１２と集中監視センター７を接続し、通信を行う。３はガス計量遮断装置１２の動作を制御する制御部である。９は制御部１３の命令によりガスを遮断するガス遮断弁である。１はガスの流量を検出するガス流量検出部であり、単位時間当りの通過ガス流量あるいは単位体積当りの通過時間をガスの通過流量として検出する。２はガス流量検出部１で検出したガスの通過流量を積算した値を指針値として保持し、逐次更新するガス計量部であり、ガス流量検出部１が単位時間当りの通過ガス流量を検出する場合は単位時間と単位時間当たりの通過ガス流量の積の和を通過ガス流量である指針値として保持し、ガス流量検出部１が単位体積当りの通過時間をガスの通過流量として検出する場合は単位体積の通過量を指針値として保持する。５は現在日時を計測するタイマー部であり、現在日時としては例えば年月日時分秒を保持し、秒単位で逐次更新する。４は検針日時を保持する検針日時保持部であり、例えば年月日時分秒を保持する。検針日時保持部４の検針日時は通信部６を介して集中管理センター７から設定される。１１はガス遮断弁９の開栓入力を受け付ける開栓入力部である。１０は開栓入力部１１による操作あるいは通信部６を介して集中管理センター７からの遠隔操作を受けて制御部３がガス遮断弁９の開栓行う際に開栓を許可するか禁止するかを表す開栓禁止状態を保持する開栓禁止状態保持部である。
【００２２】
図２において、制御部３の内部のブロックについて説明する。１８はタイマー部５の現在日時と検針日時保持部４に保持する検針日時を比較し、一致した時に遮断検針命令を発生する検針日時比較処理である。１９は検針日時比較処理１８で発生した遮断検針命令を受けて、ガス遮断弁９を閉栓する遮断弁閉栓処理である。２０は遮断弁閉栓処理１９後に開栓禁止状態保持部１０に開栓禁止をセットする遮断弁開栓禁止処理である。２１は遮断弁開栓禁止処理１９後にガス計量部２で保持されている指針値を通信部６を介して集中管理センター７に送信する指針値送信処理である。
【００２３】
次に図３のフロー図を用いて制御部３の動作、作用について説明する。
まず、図３のフロー図は集中管理センター７から通信部６を介して検針日時××年××月××日××時××分××秒を表す１２文字の文字列"××××××××××××"を受信し、検針日時保持部４に検針日時××年××月××日××時××分××秒として設定されることにより開始するものとする。
【００２４】
ステップ１０１は検針日時比較処理で、タイマー部５から現在日時○○年○○月○○日○○時○○分○○秒を取得し、検針日時保持部４から検針日時××年××月××日××時××分××秒を取得し、現在日時と検針日時の各年月日時分秒を比較し全て一致すればステップ１０２へ、一致しなければステップ１０１へ移行する。
【００２５】
ステップ１０２は遮断弁閉栓処理で、ガス遮断弁９を閉栓し、ステップ１０３へ移行する。
【００２６】
ステップ１０３は遮断弁開栓禁止処理で、開栓禁止状態保持部１０に開栓禁止をセットする事によってガス遮断弁９の開栓を禁止し、ステップ１０４へ移行する。
【００２７】
ステップ１０４は指針値送信処理で、ガス計量部２が保持する指針値を取得し、取得した指針値を通信部６を介して集中管理センター７へ送信し、全ての処理を終了する。
【００２８】
なお、本実施例では検針日時保持部４に保持される検針日時として、年月日時分秒を用いたが、代わりに月日時分だけを保持し、年はタイマー部５の現在日時の年と同一とみなし、秒は００秒とみなすなどとしても同様の効果が得られる。
【００２９】
（実施例２）
図４は本発明の実施例２のガス計量遮断装置の概観図である。図５は本発明の実施例２のガス計量遮断装置の機能ブロック図である。図６は本発明の実施例２のガス計量遮断装置の動作を示すフロー図である。
【００３０】
図４において、実施例１の外観図である図１と同じ名称は同じものを表すので、異なるものについてのみ説明する。８は遮断日時を保持する遮断日時保持部であり、検針日時以降の日時を保持する。例えば年月日時分秒を保持する。遮断日時保持部８の遮断日時は通信部６を介して集中管理センター７から設定される。あるいは集中管理センター７から送信された検針日時を元に一定時間後の時間が設定される。たとえば、検針日時に対して１日後の年月日時分秒の値を設定するようにする。
【００３１】
図５において、制御部３の内部のブロックについて説明する。２２はタイマー部５の現在日時と検針日時保持部４に保持する検針日時を比較し、一致した時に検針命令を発生する検針日時比較処理である。２３は検針日時比較処理２２で発生した検針命令を受けて、ガス計量部２で保持されている指針値を通信部６を介して集中管理センター７に送信する指針値送信処理である。２４は検針日時比較処理２２の検針命令後、ガス流量検出部１で検出したガス流量の有無により、ガス流量が有りから無しに変化した時検針命令を発生するガス使用時再検針処理である。例えば、ガス流量検出部１でガス流量有りとなった後、一定時間ガス流量無しとなった時点でガス流量が有りから無しに変化したと判定する。２５はタイマー部５の現在日時と遮断日時保持部８に保持する遮断日時を比較し、一致した時に遮断命令を発生する遮断日時比較処理である。２６は遮断日時比較処理２５で発生した遮断命令を受けて、ガス遮断弁９を閉栓する遮断弁閉栓処理である。２７は遮断弁閉栓処理２６後に開栓禁止状態保持部１０に開栓禁止をセットする遮断弁開栓禁止処理である。
【００３２】
次に図６のフロー図を用いて制御部３の動作、作用について説明する。
まず、図６のフロー図は集中管理センター７から通信部６を介して検針日時××年××月××日××時××分××秒を表す１２文字の文字列"××××××××××××"を受信し、検針日時保持部４に検針日時××年××月××日××時××分××秒として設定され、遮断日時保持部８に検針日時の１日後の日時△△年△△月△△日△△時△△分△△秒が設定されることにより開始するものとする。
ステップ２０１は検針日時比較処理で、タイマー部５から現在日時○○年○○月○○日○○時○○分○○秒を取得し、検針日時保持部４から検針日時××年××月××日××時××分××秒を取得し、現在日時と検針日時の各年月日時分秒を比較し全て一致すればステップ２０２へ、一致しなければステップ２０１へ移行する。
【００３３】
ステップ２０２は指針値送信処理で、ガス計量部２が保持する指針値を取得し、取得した指針値を通信部６を介して集中管理センター７へ送信し、ステップ２０３へ移行する。
【００３４】
ステップ２０３はガス使用時再検針処理で、ガス流量検出部１で検出したガス流量の有無により、ガス流量が有りから無しに変化した時ステップ２０２へ移行し、それ以外の時ステップ２０４へ移行する。
【００３５】
ステップ２０４は遮断日時比較処理で、タイマー部５から現在日時○○年○○月○○日○○時○○分○○秒を取得し、遮断日時保持部８から遮断日時△△年△△月△△日△△時△△分△△秒を取得し、現在日時と遮断日時の各年月日時分秒を比較し全て一致すればステップ２０５へ、一致しなければステップ２０３へ移行する。
【００３６】
ステップ２０５は遮断弁閉栓処理で、ガス遮断弁９を閉栓し、ステップ２０６へ移行する。
【００３７】
ステップ２０６は遮断弁開栓禁止処理で、開栓禁止状態保持部１０に開栓禁止をセットする事によってガス遮断弁９の開栓を禁止し、全ての処理を終了する。
【００３８】
なお、本実施例では検針日時保持部４に保持される検針日時および遮断日時保持部８に保持される遮断日時として、年月日時分秒を用いたが、代わりに検針日時に月日時分だけを保持し、年はタイマー部５の現在日時の年と同一とみなし、秒は００秒とみなし、遮断日時は検針日時の１日後と算出しても同様の効果が得られる。
【００３９】
（実施例３）
図４は本発明の実施例３のガス計量遮断装置の概観図である。図７は本発明の実施例３のガス計量遮断装置の機能ブロック図である。図８は本発明の実施例３のガス計量遮断装置の動作を示すフロー図である。
【００４０】
図４において、実施例２の外観図と同じであるため説明は省略する。
図７において、実施例２のブロック図である図５と同じ名称は同じものを表すので、異なるものについてのみ説明する。２８は検針日時比較処理２２の検針命令後、ガス流量検出部１で検出したガス流量が有りとなった時ガス流量有り情報を保持するガス流量監視処理である。２９は遮断弁開栓禁止処理２７後に、ガス流量監視処理２８でガス流量有り情報がセットされていれば、検針命令発生し指針値送信処理２３で指針値を送信させるガス使用時再検針処理である。
【００４１】
次に図８のフロー図を用いて制御部３の動作、作用について説明する。
まず、図８のフロー図は集中管理センター７から通信部６を介して検針日時××年××月××日××時××分××秒を表す１２文字の文字列"××××××××××××"を受信し、検針日時保持部４に検針日時××年××月××日××時××分××秒として設定され、遮断日時保持部８に検針日時の１日後の日時△△年△△月△△日△△時△△分△△秒が設定されることにより開始するものとする。
ステップ３０１は検針日時比較処理で、タイマー部５から現在日時○○年○○月○○日○○時○○分○○秒を取得し、検針日時保持部４から検針日時××年××月××日××時××分××秒を取得し、現在日時と検針日時の各年月日時分秒を比較し全て一致すればステップ３０２へ、一致しなければステップ３０１へ移行する。
【００４２】
ステップ３０２は指針値送信処理で、ガス計量部２が保持する指針値を取得し、取得した指針値を通信部６を介して集中管理センター７へ送信し、ステップ３０３へ移行する。
【００４３】
ステップ３０３はガス流量監視処理で、ガス流量検出部１で検出したガス流量がガス流量有りである時のみガス流量有り情報をセットし、ステップ３０４へ移行する。
【００４４】
ステップ３０４は遮断日時比較処理で、タイマー部５から現在日時○○年○○月○○日○○時○○分○○秒を取得し、遮断日時保持部８から遮断日時△△年△△月△△日△△時△△分△△秒を取得し、現在日時と遮断日時の各年月日時分秒を比較し全て一致すればステップ３０５へ、一致しなければステップ３０３へ移行する。
【００４５】
ステップ３０５は遮断弁閉栓処理で、ガス遮断弁９を閉栓し、ステップ３０６へ移行する。
【００４６】
ステップ３０６は遮断弁開栓禁止処理で、開栓禁止状態保持部１０に開栓禁止をセットする事によってガス遮断弁９の開栓を禁止し、ステップ３０７へ移行する。
【００４７】
ステップ３０７はガス使用時再検針処理で、ガス流量監視処理でガス流量有り情報がセットされていればステップ３０８へ移行し、セットされていなければ全ての処理を終了する。
【００４８】
ステップ３０８は指針値送信処理で、ガス計量部２が保持する指針値を取得し、取得した指針値を通信部６を介して集中管理センター７へ送信し、全ての処理を終了する。
【００４９】
（実施例４）
図４は本発明の実施例４のガス計量遮断装置の概観図である。図９は本発明の実施例４のガス計量遮断装置の機能ブロック図である。図１０は本発明の実施例４のガス計量遮断装置の動作を示すフロー図である。
【００５０】
図４において、実施例３の外観図と同じであるため説明は省略する。
図９において、実施例３のブロック図である図７と同じ名称は同じものを表すので、異なるものについてのみ説明する。３０は指針値送信処理２３後に指針値送信処理２３で送信した指針値を保存する送信指針値保存処理である。３１は遮断弁開栓禁止処理２７後に、送信指針値保存処理３０で保存した送信指針値とガス計量部２の保持している指針値を比較して差異があれば、検針命令発生し指針値送信処理２３で指針値を送信させるガス使用時再検針処理である。
【００５１】
次に図１０のフロー図を用いて制御部３の動作、作用について説明する。
まず、図１０のフロー図は集中管理センター７から通信部６を介して検針日時××年××月××日××時××分××秒を表す１２文字の文字列"××××××××××××"を受信し、検針日時保持部４に検針日時××年××月××日××時××分××秒として設定され、遮断日時保持部８に検針日時の１日後の日時△△年△△月△△日△△時△△分△△秒が設定されることにより開始するものとする。
【００５２】
ステップ４０１は検針日時比較処理で、タイマー部５から現在日時○○年○○月○○日○○時○○分○○秒を取得し、検針日時保持部４から検針日時××年××月××日××時××分××秒を取得し、現在日時と検針日時の各年月日時分秒を比較し全て一致すればステップ４０２へ、一致しなければステップ４０１へ移行する。
【００５３】
ステップ４０２は指針値送信処理で、ガス計量部２が保持する指針値を取得し、取得した指針値を通信部６を介して集中管理センター７へ送信し、ステップ４０３へ移行する。
【００５４】
ステップ４０３は送信指針値保存処理で、指針値送信処理で送信した指針値を送信指針値として保存し、ステップ４０４へ移行する。
【００５５】
ステップ４０４は遮断日時比較処理で、タイマー部５から現在日時○○年○○月○○日○○時○○分○○秒を取得し、遮断日時保持部８から遮断日時△△年△△月△△日△△時△△分△△秒を取得し、現在日時と遮断日時の各年月日時分秒を比較し全て一致すればステップ４０５へ、一致しなければステップ４０４へ移行する。
【００５６】
ステップ４０５は遮断弁閉栓処理で、ガス遮断弁９を閉栓し、ステップ４０６へ移行する。
【００５７】
ステップ４０６は遮断弁開栓禁止処理で、開栓禁止状態保持部１０に開栓禁止をセットする事によってガス遮断弁９の開栓を禁止し、ステップ４０７へ移行する。
【００５８】
ステップ４０７はガス使用時再検針処理で、送信指針値保存処理で保存された送信指針値とガス計量部２で保持している指針値に差異があれば、ガス使用有りとしてステップ４０８へ移行し、差異がなければガス使用無しとして全ての処理を終了する。
【００５９】
ステップ４０８は指針値送信処理で、ガス計量部２が保持する指針値を取得し、取得した指針値を通信部６を介して集中管理センター７へ送信し、全ての処理を終了する。
【００６０】
（実施例５）
図１１は本発明の実施例５のガス計量遮断装置の概観図である。図１２は本発明の実施例５のガス計量遮断装置の機能ブロック図である。図１３は本発明の実施例５のガス計量遮断装置の動作を示すフロー図である。
【００６１】
図１１において、実施例４の外観図である図４と同じ名称は同じものをあらわすので、ここでは異なるものについてのみ説明する。３２は追加ガス量保持部で、検針日時に指針値送信後、使用を許す追加ガス量を保持する。追加ガス量は、一定量あるいは、検針日時に送信した指針値からガス料金請求が次に繰り上げになる指針値までの差、あるいは前回検針時から今回検針までのガス使用量からガス料金請求の次に繰り上げになるガス使用量までの差などを設定する。
【００６２】
図１２において、実施例４のブロック図である図９と同じ名称は同じものを表すので、ここでは異なるものについてのみ説明する。３３は送信指針値保存処理３０後に送信指針値とガス計量部２に保持されている指針値との差が追加ガス量保持部３２に保持されている追加ガス量に一致あるいは超えた時遮断命令を発生する追加ガス量判定処理である。
【００６３】
次に図１３のフロー図を用いて制御部３の動作、作用について説明する。
まず、図１３のフロー図は集中管理センター７から通信部６を介して検針日時××年××月××日××時××分××秒を表す１２文字の文字列"××××××××××××"を受信し、検針日時保持部４に検針日時××年××月××日××時××分××秒として設定され、遮断日時保持部８に検針日時の１日後の日時△△年△△月△△日△△時△△分△△秒が設定されることにより開始するものとする。
【００６４】
ステップ５０１は検針日時比較処理で、タイマー部５から現在日時○○年○○月○○日○○時○○分○○秒を取得し、検針日時保持部４から検針日時××年××月××日××時××分××秒を取得し、現在日時と検針日時の各年月日時分秒を比較し全て一致すればステップ５０２へ、一致しなければステップ５０１へ移行する。
【００６５】
ステップ５０２は指針値送信処理で、ガス計量部２が保持する指針値を取得し、取得した指針値を通信部６を介して集中管理センター７へ送信し、ステップ５０３へ移行する。
【００６６】
ステップ５０３は送信指針値保存処理で、指針値送信処理で送信した指針値を送信指針値として保存し、ステップ５０４へ移行する。
【００６７】
ステップ５０４は追加ガス量判定処理で、送信指針値保存処理で保存した送信指針値とガス計量部２が保持する指針値の差が追加ガス量保持部３２に保持されている追加ガス量に一致するか超えている場合、ステップ５０６へ移行し、それ以外はステップ５０５へ移行する。
【００６８】
ステップ５０５は遮断日時比較処理で、タイマー部５から現在日時○○年○○月○○日○○時○○分○○秒を取得し、遮断日時保持部８から遮断日時△△年△△月△△日△△時△△分△△秒を取得し、現在日時と遮断日時の各年月日時分秒を比較し全て一致すればステップ５０６へ、一致しなければステップ５０４へ移行する。
【００６９】
ステップ５０６は遮断弁閉栓処理で、ガス遮断弁９を閉栓し、ステップ５０７へ移行する。
【００７０】
ステップ５０７は遮断弁開栓禁止処理で、開栓禁止状態保持部１０に開栓禁止をセットする事によってガス遮断弁９の開栓を禁止し、全ての処理を終了する。
【００７１】
【発明の効果】
以上のように本発明によれば、検針日時保持部に保持した検針日時だけでガス遮断弁の閉栓と指針値の送信を行うため、集中管理センターからガス計量遮断装置の検針日時保持部にに設定する検針日時だけを送信すればよいため設定時間を短くすることができる。
【００７２】
また、指針値を集中管理センターに送信した後にガスが使用されても、都度集中管理センターにガスの使用終了後の指針値を送信でき、追加の請求を行うことができる。
【００７３】
また、指針値を集中管理センターに送信した後にガスが使用されても、ガス遮断弁閉栓時に集中管理センターにガスの使用終了後の指針値を送信でき、追加の請求を行うことができる。
【００７４】
また、指針値を集中管理センターに送信した後に電話回線が不通となっても、作業員を派遣せずに、また追加請求を行うことなく一定量のガスを使用することができるので、ガスの利用者の利便性を向上することができる。
【図面の簡単な説明】
【図１】本発明の実施例１のガス計量遮断装置の構成図
【図２】同装置の機能ブロック図
【図３】同装置のフロー図
【図４】本発明の実施例２〜４のガス計量遮断装置の構成図
【図５】本発明の実施例２のガス計量遮断装置の機能ブロック図
【図６】同装置のフロー図
【図７】本発明の実施例３のガス計量遮断装置の機能ブロック図
【図８】同装置のフロー図
【図９】本発明の実施例４のガス計量遮断装置の機能ブロック図
【図１０】同装置のフロー図
【図１１】本発明の実施例５のガス計量遮断装置の構成図
【図１２】同装置の機能ブロック図
【図１３】同装置のフロー図
【図１４】従来のガス計量遮断装置の機能ブロック図
【符号の説明】
１  ガス流量検出部
２  ガス計量部
３  制御部
４  検針日時保持部
５  タイマー部
６  通信部
８  開栓禁止状態保持部
９  ガス遮断弁
１０  開栓禁止状態保持部
１３、１８、２２  検針日時比較処理
１４、２１、２３  指針値送信処理
１５、２５  遮断日時比較処理
１６、１９、２６  遮断弁閉栓処理
１７、２０、２７  遮断弁開栓禁止処理
２４、２９、３１  ガス使用時再検針処理
２８  ガス流量監視処理
３０  送信指針値保存処理
３２  追加ガス流量保持部
３３  追加ガス量判定処理
【図１】
0003994551.tif 000002
【図２】
0003994551.tif 000003
【図３】
0003994551.tif 000004
【図４】
0003994551.tif 000005
【図５】
0003994551.tif 000006
【図６】
0003994551.tif 000007
【図７】
0003994551.tif 000008
【図８】
0003994551.tif 000009
【図９】
0003994551.tif 000010
【図１０】
0003994551.tif 000011
【図１１】
0003994551.tif 000012
【図１２】
0003994551.tif 000013
【図１３】
0003994551.tif 000014
【図１４】
0003994551.tif 000015